(57)【特許請求の範囲】
【請求項１】
走行装置（２）と、植物の生育情報を測定する情報測定装置（３）と、操作パネル（８）とを備え、情報測定装置（３）は、植物に向けて発光する発光体（２６）と、植物を撮影する撮影装置（２７）とを備え、操作パネル（８）は、自動走行と手動走行とを切り替える走行モード切替スイッチ（４５）及び撮影装置（２７）の作動を入切する撮影入切スイッチ（４６）と、主電源スイッチ（４４）と、情報測定装置（３）を昇降させる昇降操作具（４０）と、制御装置（４）を備え、
撮影装置（２７）は、上下に延びる発光体（２６）の走行方向における前後間に配置され、
情報測定装置（３）は、走行装置（２）から上方に延びるスライド用フレーム（３７）に昇降スライド可能に支持され、昇降用電動モータ（３８）により、発光体（２６）と撮影装置（２７）の位置関係を変えない状態で昇降動作可能に構成され、
走行モード切替スイッチ（４５）を手動走行にした状態で機体を所定位置まで走行装置（２）により走行させ、
主電源スイッチ（４４）の入操作と、撮影入切スイッチ（４６）の入操作と、昇降操作スイッチ（４０）の操作により情報測定装置（３）を所望の測定高さに昇降させる操作と、走行モード切替スイッチ（４５）の自動走行設定操作とを行うと、  
制御装置（４）は、主電源スイッチ（４４）の入操作から所定時間後に、走行装置（２）が自動走行を開始し、撮影装置（２７）による撮影を開始する制御を行うことを特徴とする植物生育測定機。
【請求項２】
走行装置（２）の後部には、機体を移動操作するための移動ハンドル（５）を設け、操作パネル（８）を走行装置（２）の後部で、且つ、移動ハンドル（５）の前方に備え、
移動ハンドル（５）の下方には情報管理端末（７）を載置する端末載置台（９）を設け、情報管理端末（７）の上方を透明な素材の後部カバー（１０）で覆うことを特徴とする請求項１記載の植物生育測定機。
【請求項３】
移動ハンドル（５）の把持部近傍には、作業者が簡易的に操作可能な簡易操作パネル（４８）を設け、簡易操作パネル（４８）には、機体の前進及び後進の操作を行う前後進スイッチ（４９）と、機体を緊急停止させる緊急停止ボタン（５ｃ）を設けることを特徴とする緊急停止スイッチ（５ｃ）を設けることを特徴とする請求項２記載の植物生育測定機。
【請求項４】
走行モード切替スイッチ（４５）及び撮影入切スイッチ（４６）の一側に主電源スイッチ（４４）を備え、走行モード切替スイッチ（４５）及び撮影入切スイッチ（４６）の他側に、情報測定装置（３）を昇降させる昇降操作具（４０）を備えたことを特徴とする請求項１から請求項３何れかに記載の植物生育測定機。
【発明の詳細な説明】
【技術分野】
【０００１】
この発明は、植物の生育情報を測定する植物生育測定機の技術分野に属する。
【背景技術】
【０００２】
走行装置と、植物の生育情報を測定する情報測定装置とを備え、情報測定装置は、植物に向けて発光する発光体と、植物を撮影する撮影装置とを備えた植物生育測定機がある。この植物生育測定機は、走行装置により植物の栽培棚の間の作業通路に沿って設けられた送水パイプ上を走行して所望の位置まで移動して停止し、発光体である青色の発光ダイオードからなるＬＥＤパネルにより植物に向けて発光すると共に、撮影装置となるカメラで植物を撮影することにより、植物の生育情報であるクロロフィル蛍光を測定し、植物の光合成の活性度を評価する構成となっている（特許文献１参照）。
【先行技術文献】
【特許文献】
【０００３】
【特許文献１】特開２０１４−１７６３２６号公報
【発明の概要】
【発明が解決しようとする課題】
【０００４】
本発明は、植物生育測定機において、作業性及び操作性を向上させることを課題とする。
【課題を解決するための手段】
【０００５】
上記課題を解決するために、次のような技術的手段を講じた。
【０００６】
すなわち、走行装置（２）と、植物の生育情報を測定する情報測定装置（３）と、操作パネル（８）とを備え、情報測定装置（３）は、植物に向けて発光する発光体（２６）と、植物を撮影する撮影装置（２７）とを備え、操作パネル（８）は、自動走行と手動走行とを切り替える走行モード切替スイッチ（４５）及び撮影装置（２７）の作動を入切する撮影入切スイッチ（４６）と、主電源スイッチ（４４）と、情報測定装置（３）を昇降させる昇降操作具（４０）と、制御装置（４）を備え、
撮影装置（２７）は、上下に延びる発光体（２６）の走行方向における前後間に配置され、
情報測定装置（３）は、走行装置（２）から上方に延びるスライド用フレーム（３７）に昇降スライド可能に支持され、昇降用電動モータ（３８）により、発光体（２６）と撮影装置（２７）の位置関係を変えない状態で昇降動作可能に構成され、
走行モード切替スイッチ（４５）を手動走行にした状態で機体を所定位置まで走行装置（２）により走行させ、
主電源スイッチ（４４）の入操作と、撮影入切スイッチ（４６）の入操作と、昇降操作スイッチ（４０）の操作により情報測定装置（３）を所望の測定高さに昇降させる操作と、走行モード切替スイッチ（４５）の自動走行設定操作とを行うと、  
制御装置（４）は、主電源スイッチ（４４）の入操作から所定時間後に、走行装置（２）が自動走行を開始し、撮影装置（２７）による撮影を開始する制御を行うことを特徴とする植物生育測定機とした。
また、請求項２に係る発明は、走行装置（２）の後部には、機体を移動操作するための移動ハンドル（５）を設け、操作パネル（８）を走行装置（２）の後部で、且つ、移動ハンドル（５）の前方に備え、
移動ハンドル（５）の下方には情報管理端末（７）を載置する端末載置台（９）を設け、情報管理端末（７）の上方を透明な素材の後部カバー（１０）で覆うことを特徴とする請求項１記載の植物生育測定機とする。
また、請求項４に係る発明は、移動ハンドル（５）の把持部近傍には、作業者が簡易的に操作可能な簡易操作パネル（４８）を設け、簡易操作パネル（４８）には、機体の前進及び後進の操作を行う前後進スイッチ（４９）と、機体を緊急停止させる緊急停止ボタン（５ｃ）を設けることを特徴とする緊急停止スイッチ（５ｃ）を設けることを特徴とする請求項２記載の植物生育測定機とする。
また、請求項４に係る発明は、走行モード切替スイッチ（４５）及び撮影入切スイッチ（４６）の一側に主電源スイッチ（４４）を備え、走行モード切替スイッチ（４５）及び撮影入切スイッチ（４６）の他側に、情報測定装置（３）を昇降させる昇降操作具（４０）を備えたことを特徴とする請求項１又は請求項２記載の植物生育測定機とする。
【発明の効果】
【０００７】
本発明により、昇降操作具（４０）の操作により、測定する植物の高さ又は植物の測定部位の高さに合わせて情報測定装置（３）を昇降させることで、植物の生育情報を適正に得ることができる。特に、発光体（２６）と撮影装置（２７）との位置関係が変わらず共に昇降するので、適正に植物を測定できる。
また、植物生育測定機における測定において、外光等の影響を受けないようにするべく、測定作業は夜間に行う必要がある。作業者は、夕方に機体を移動させ、主電源スイッチ（４４）の入操作と、撮影入切スイッチ（４６）の入操作と、昇降操作スイッチ（４０）の操作により情報測定装置（３）を所望の測定高さに昇降させる操作と、走行モード切替スイッチ（４５）の自動走行設定操作とを行うと、制御装置（４）は、主電源スイッチ（４４）の入操作から所定時間後の夜間に、走行装置（２）が自動走行を開始し、撮影装置（２７）による撮影を開始する制御を行うことができる。
従って、植物生育測定機において、作業性及び操作性を向上させることができる。 また、請求項２及び請求項３記載の発明によると、走行モード切替スイッチ（４５）を手動走行にした状態で機体を走行装置（２）により走行させるときの操作性及び視認性を良好にできる。
請求項４記載の発明によると、走行モード切替スイッチ（４５）及び撮影入切スイッチ（４６）の一側に主電源スイッチ（４４）を配置したので、主電源スイッチ（４４）を操作し易い。走行モード切替スイッチ（４５）、撮影入切スイッチ（４６）及び昇降操作具（４０）のうち、最も使用頻度の高い昇降操作具（４０）を、走行モード切替スイッチ（４５）及び撮影入切スイッチ（４６）の他側に配置したので、操作性が向上する。
【図面の簡単な説明】
【０００８】
【図１】植物生育測定機を示す側面図
【図２】植物生育測定機を示す背面図
【図３】車軸を示す正面図
【図４】発光体カバーの構造を分かり易く示す斜視図
【図５】異なる形態の発光体カバーの構造を分かり易く示す斜視図
【図６】操作パネルを示す図
【図７】情報測定装置を傾ける機構を示す背面図
【図８】梯子を設けた形態の植物生育測定機を示す背面図
【発明を実施するための形態】
【０００９】
この発明の実施の一形態を、以下に説明する。尚、以下の実施の形態は、あくまで実施の一形態であって、特許請求の範囲を拘束するものではない。
【００１０】
植物生育測定機１は、走行可能に機器を支持する走行機台である走行装置２と、側方の栽培植物の生育情報を測定する情報測定装置３と、走行装置２及び情報測定装置３を制御する制御ボックスで構成された制御装置４と、機体を移動操作するための移動ハンドル５と、電源となるバッテリー６と、測定した生育情報の収集や解析等を行う情報管理端末７と、機体の各種操作を行う操作パネル８とを備えている。尚、該情報管理端末７は、市販のパーソナルコンピュータやタブレット端末等により構成される。走行装置２の前後方向略中央の上方に情報測定装置３を配置し、走行装置２の前後方向略中央に制御装置４及びバッテリー６を配置している。これにより、重量物である情報測定装置３、制御装置４及びバッテリー６が機体の前後方向略中央に配置されるので、機体の前後重量バランスが良好になる。移動ハンドル５は、走行装置２から支持され、機体の後部に位置する。操作パネル８は、走行装置２の後部で且つ移動ハンドル５の前方に配置されている。
【００１１】
また、走行装置２の後部で且つ移動ハンドル５の下方には端末載置台９を設けており、該端末載置台９上に情報管理端末７が載置される。情報管理端末７は、通常は走行装置２の後部カバー１０で覆われているが、作業者等が情報管理端末７の表示画面を見たいときは、後部カバー１０を取り外して露出させることができる。尚、後部カバー１０をフレキシブルなシート等の透明な素材で構成し、後部カバー１０を装着したままで情報管理端末７の表示画面を視認できる構成としてもよい。また、前記フレキシブルなシートで構成する場合には、該シートを巻取装置で巻き取る等して後部カバー１０を容易に開閉及び収納できるようにし、作業者が情報管理端末７の操作を容易に行えるようにすることが好ましい。また、後部カバー１０の後側面のみ透明な構成とし、機体の後方から情報管理端末７の表示画面を視認し得る構成としてもよい。また、後部カバー１０は、下部に設けた下向きの位置合わせピン等により、上側から被せるだけの簡単な装着方法で装着できる構成とすればよい。
【００１２】
走行装置２は、左右の作業用前輪１１及び左右の作業用後輪１２を備える。この左右の作業用前輪１１及び左右の作業用後輪１２は、植物の栽培棚の間（栽培条間）の作業通路に沿って設けられた左右の送水パイプ１３上を走行する。従って、左右の送水パイプ１３が、植物生育測定機１の走行装置２を走行案内する左右の走行レールとなる。尚、該送水パイプ１３は、一般的に、温室内の暖房のために温水を流す温水パイプとして知られている。また、左右の作業用前輪１１及び左右の作業用後輪１２の各々の近傍には、これらの車輪が送水パイプ１３から脱線（脱落）しないように、送水パイプ１３の機体左右方向外側位置で且つ左右方向内側向きに取り付けられた案内輪１４を設けている。そして、機体の前部に設けた走行用電動モータ１５の駆動により、左右の作業用前輪１１が駆動して機体が走行する構成となっている。
【００１３】
走行用電動モータ１５の駆動速度は、制御装置４に設けたダイヤル式の走行速度調節装置により変更することができる。これにより、送水パイプ１３の繋ぎ目の溶接部分等を作業用前輪１１及び作業用後輪１２が乗り越えにくいときは、走行速度を速くする等して円滑に走行させることができる。
【００１４】
左右の作業用前輪１１及び左右の作業用後輪１２は、車体の下部に取り付けられた左右の軸受部１７に支持される。詳述すると、該左右の軸受部１７で軸受される車軸１６の両端部にスプライン１８を形成し、このスプライン１８部分に左右各々の車輪が左右スライド可能に取り付けられ、軸受部１７と車輪１１，１２との間には圧縮スプリング１９を設けており、車輪１１，１２は圧縮スプリング１９により左右方向外側へ付勢されている。車軸１６は、左右中央に設けた基部軸１６ａと、左右両側部に設けた左右各々の外側軸１６ｂとで構成されている。基部軸１６ａは、パイプ状で、内周面に雌螺子溝が形成されている。外側軸１６ｂは、機体左右方向内側となる端部の外周面に雄螺子溝２０が形成されている。基部軸１６ａの前記雌螺子溝に外側軸１６ｂの雄螺子溝２０が螺合し、基部軸１６ａの左右に左右各々の外側軸１６ｂを取り付けた構成となっている。尚、基部軸１６ａと外側軸１６ｂとの間には、両軸を固定する左右各々のロックナット２１を設けている。従って、ロックナット２１を弛め、基部軸１６ａに対して外側軸１６ｂを回転させながら左右に移動させ、車輪１１，１２の左右位置を変更する構成となっている。これにより、左右の送水パイプ１３の間隔に合わせて車輪の左右トレッドを調節することができる。また、変形等により左右の送水パイプ１３の間隔が変化するとき、圧縮スプリング１９の伸縮で、車輪１１，１２をスプライン１８に沿って左右に移動させながら送水パイプ１３に追従させることができる。尚、左右の軸受部１７は、左右各々の外側軸１６ｂを軸受している。
【００１５】
また、左右の作業用前輪１１及び左右の作業用後輪１２よりも左右外側には、左右の移動用前輪２２及び左右の移動用後輪２３を設けている。この左右の移動用前輪２２及び左右の移動用後輪２３の下端は、左右の作業用前輪１１及び左右の作業用後輪１２の下端よりも低位である。従って、測定作業前や測定作業後等に、左右の移動用前輪１１及び左右の移動用後輪１２を地面（路面）に接地させて作業者が移動ハンドル５を操作することにより、送水パイプ（走行レール）１３が無い所でも機体を移動させることができる。尚、左右の移動用後輪２３は、キャスター輪で操向自在となっており、機体を操向させながら移動させることができる。尚、左右の移動用前輪２２は左右の作業用前輪１１よりも後側に配置され、左右の移動用後輪２３は左右の作業用後輪１２よりも前側に配置されている。
【００１６】
尚、送水パイプ（走行レール）１３上を作業用前輪１１及び作業用後輪１２が走行するときは、移動用前輪２２及び移動用後輪２３は、左右の送水パイプ（走行レール）１３の左右外側で、地面から浮上して接地しない高さになる。
【００１７】
走行装置２の前端下部には前端センサ２４を設け、走行装置２の後端下部には後端センサ２５を設けている。一方、左右の送水パイプ１３の間に、位置検出用部材を掛け渡して装着している。この位置検出用部材は、左右両端部が高位となるよう屈曲されたプレートにより構成され、左右両端部が左右各々の送水パイプ１３上に載せて装着する構成となっている。また、位置検出用部材は、左右の送水パイプ１３の一端部及び他端部（前端部及び後端部）に各々設けられている。従って、走行装置２の左右の送水パイプ１３上の前進で前端センサ２４が前端側の位置検出用部材に接触して該位置検出用部材を検知することにより、機体が送水パイプ１３の前端部に到達したことを検出する構成となっている。同様に、走行装置２の左右の送水パイプ１３上の後進で後端センサ２５が後端側の位置検出用部材に接触して該位置検出用部材を検知することにより、機体が送水パイプ１３の後端部に到達したことを検出する構成となっている。
【００１８】
情報測定装置３は、上下方向に延びるＬＥＤ蛍光灯で構成された発光体２６と、植物を撮影するカメラで構成される撮影装置２７とを備えている。発光体２６は、青色光を発する発光ダイオードであり、前後に等間隔ピッチで複数本（計４本）配列されている。この複数本の発光体２６で構成される発光部の一側方、上方、下方、前方及び後方となる５方は、発光部カバー２８により光が通過しないように覆われている。従って、複数本の発光体２６からの光は、発光部カバー２８で覆われていない栽培植物がある側へ効率良く投光される。また、前記発光部の前後中央で且つ上下中央の位置に、撮影装置２７を配置している。具体的には、撮影装置２７は、上下に延びる発光体２６の上下中央位置の高さで、前後の発光体２６の間（前から２本目と３本目の発光体２６の間）に配置され、発光部カバー２８で覆われていない栽培植物がある側の様子を撮影する構成となっている。
【００１９】
発光部カバー２８は、板金で構成された金属製であり、発光部の上方となる上面部２８ａと発光部の下方となる下面部２８ｂと発光部の一側方となる側面部２８ｃとが、平板状に形成され、発光部の前方となる前面部２８ｄと発光部の後方となる後面部２８ｅとが、側面部２８ｃに連続的に設けられて左右に湾曲する曲面状に形成されている。これにより、発光部カバー２８の外面はボルト等の突起物がなく滑らかな形状であるので、栽培条間を移動するときに、植物が発光部カバー２８に接触しても傷付きにくくなる。また、上面部２８ａと下面部２８ｂとが、情報測定装置３の基部に固着して設けられ、側面部２８ｃと前面部２８ｄと後面部２８ｅとが、上面部２８ａ及び下面部２８ｂに着脱可能に設けられている。具体的に説明すると、側面部２８ｃは、上部の前後２箇所に設けたフック２９を上面部２８ａの側面部２８ｃ側に設けた前後２箇所の側面部装着用孔３０に引っ掛け、下部を下面部２８ｂの側面部２８ｃ側に設けた前後２箇所の磁石３１の磁力により固定する。前面部２８ｄ及び後面部２８ｅは、上部に設けた各々単一のフック２９を上面部２８ａの前後に設けた前面部装着用孔３２及び後面部装着用孔３３に引っ掛け、各々下部の左右に設けた突起３４を下面部２８ｂの左右に設けた下部固定用孔３５に挿入して固定される。この構造により、側面部２８ｃ、前面部２８ｄ及び後面部２８ｅの上部は孔にフック２９を引っ掛けるだけなので、情報測定装置３の上下高さが高くて作業者の手が発光部カバー２８の上部に届かなくても、側面部２８ｃ、前面部２８ｄ及び後面部２８ｅを容易に装着できる。また、植物の灰汁や樹液等により側面部２８ｃ、前面部２８ｄ及び後面部２８ｅが汚れた場合、これらを容易に取り外して洗浄することができる。
【００２０】
尚、前面部２８ｄ及び後面部２８ｅも、磁石３１により装着する構成とすれば、更に着脱が容易になる。また、磁石３１により装着する構成とするとき、水平方向に延びる位置合わせピン３６により位置を合わせて装着する構成とすれば、横方向から容易に装着できる。特に、前面部２８ｄ及び後面部２８ｅは、機体の走行により栽培条間に伸長する植物を掻き分けるために汚れ易いので、容易に着脱できる構成とすることが望ましい。尚、前面部２８ｄ及び後面部２８ｅを含め、発光部カバー２８の外面に使い捨ての防護フィルムを貼付する構成とし、該防護フィルムを定期的に張り替えて該防護フィルムごと汚れを除去するようにすれば、発光部カバー２８の洗浄作業を省略できるので、作業が容易になる。
【００２１】
発光体２６及び撮影装置２７は、機体の左右中央よりも発光部カバー２８が覆う一側（測定する栽培植物とは左右方向反対側）に偏位して配置されている。これにより、作物の収量向上のために狭い栽培条間（作業通路）であっても、発光体２６及び撮影装置２７と測定される植物との間の必要な間隔を確保することができると共に、測定される植物に情報測定装置３が干渉することを抑えられ、測定精度の向上が図れる。
【００２２】
発光体２６が植物へ向けて発光すると、植物の葉に有するクロロフィルが反応して蛍光する（これをクロロフィル蛍光という。）。このクロロフィル蛍光の度合を撮影装置２７の撮影画像を解析して判断し、植物の光合成活性度を判定する構成となっている。尚、前記クロロフィル蛍光や前記光合成活性度等が、植物の生育情報となる。
【００２３】
情報測定装置３は、走行装置２から上方に延びる複数のスライド用フレーム３７に昇降スライド可能に支持され、昇降用電動モータ３８の駆動により上下方向に延びる複数の昇降用螺子軸（ボールネジ）が回転し、走行装置２に対して昇降し得る構成となっている。これにより、測定する植物の高さ又は植物の測定部位の高さに合わせて情報測定装置３を昇降させることができる。特に、発光体２６と撮影装置２７との位置関係が変わらず共に昇降するので、適正に植物を測定できる。尚、昇降用螺子軸は、撮影装置２７の撮影の邪魔にならない位置に配置されている。また、後側に配置されるスライド用フレーム３７の後側面には、情報測定装置３の上下高さの指標となる目盛を形成している。一方、発光部カバー２８の前記後側面２８ｅに対向する部分には、前記目盛を視認するための視認用窓３９を開口している。従って、機体の後側で移動ハンドル５を把持する作業者は、視認用窓３９を介して目盛を目視しながら後述する昇降操作スイッチ４０を操作して情報測定装置３の高さを容易に調節できる。尚、目盛をスライド用フレーム３７に支持させると共に情報測定装置３の発光部カバー２８の外側に設け、発光部カバー２８に目盛に対向する指示マークを設け、該指示マークが指示する目盛の位置を視認して情報測定装置３の高さを判断する構成としてもよい。
【００２４】
また、情報測定装置３は、昇降用螺子軸、スライド用フレーム３７及び昇降用電動モータ３８と共に前後方向の支点軸４１を中心に左右一側方へ傾けることができる。これにより、温室の出入口等を移動するとき、機体の上端を低くでき、移動が容易になる。尚、情報測定装置３は、通常の直立姿勢で固定する固定ピン４２を外して傾動させる構成であり、保持用チェーン４３により傾けた状態で保持される構成となっている。
【００２５】
尚、上述では情報測定装置３を前後方向の支点軸を中心に左右一側方へ傾ける構成としたが、左右方向の支点軸を中心に左右一側方へ傾ける構成としてもよい。このときは、通常の直立姿勢で固定する固定フックを、前記支点軸から離れた機体前部側（前側のスライド用フレーム３７及び情報測定装置３の前端の近傍）に配置することが望ましい。そして、上述の保持用チェーン４３を設けず、機体後部の移動ハンドル５上に情報測定装置３を載せて後側へ傾けた状態で保持する構成とすればよい。情報測定装置３が機体の左右一方側へ偏位しているので、移動ハンドル５上に情報測定装置３を載せて保持しても、移動ハンドル５の左右他方側部分には作業者が把持する把持部分が露出した状態となる。尚、情報測定装置３を載せる移動ハンドル５の一部分にスポンジ等の緩衝材を設け、情報測定装置３を載せる際の衝撃を和らげる構成としてもよい。
【００２６】
また、左右方向の支点軸を情報測定装置３の上下略中央位置に配置してもよい。これにより、情報測定装置３の傾動による機体の前後左右の重心位置の変化を抑えることができて機体の重心バランスを良好に維持でき、上下に長い情報測定装置３を効率良く低位に配置できる。
【００２７】
操作パネル８には、右側から順に、主電源を入切する主電源スイッチ４４、機体の自動走行と手動走行とを切り替える走行モード切替スイッチ４５、撮影装置２７の作動を入切する撮影入切スイッチ４６、及び情報測定装置３を昇降させる昇降操作具となる昇降操作スイッチ４０を設けている。主電源スイッチ４４は、押すたびに主電源の入切を交互に切り替える押しボタン式のスイッチであり、主電源が入の状態では当該スイッチ４４に設けたランプが点灯する構成となっている。昇降操作スイッチ４０は、昇降中立位置から上昇操作位置と下降操作位置とに操作する構成となっており、上昇操作位置又は下降操作位置に操作している間だけ情報測定装置３が上昇又は下降し、放すと昇降中立位置に戻って上昇又は下降を停止する構成となっている。また、上記した各種スイッチの下側には、バッテリー６の残量を表示するバッテリーチェッカ４７を設けている。バッテリーチェッカ４７は、左右に配列される複数（計６個）の表示ランプで構成され、複数の表示ランプのうち点灯する表示ランプの位置でバッテリー６の残量を表示する構成となっている。配列の一端側の表示ランプ（右端側２個の表示ランプ）は青色であり、配列の中央の表示ランプ（左右中央２個の表示ランプ）は黄色であり、配列の他端側の表示ランプ（左端側２個の表示ランプ）は赤色であり、点灯する表示ランプの位置が配列の他端側であるほど、バッテリー６の残量が少ないことを示す。
【００２８】
また、移動ハンドル５の把持部近傍には、作業者が簡易的に操作可能な簡易操作パネル４８を設けている。該簡易操作パネル４８には、右側から順に、機体の前進及び後進の操作を行う前後進スイッチ４９と、機体を緊急停止させる緊急停止ボタン５０とを設けている。前後進スイッチ４９は、走行中立位置から前進操作位置と後進操作位置とに操作する構成となっており、前進操作位置又は後進操作位置に操作している間だけ機体が前進又は後進し、放すと走行中立位置に戻って走行を停止する構成となっている。緊急停止ボタン５０は、押し操作することにより主電源を断ち、機体の全ての作動を停止する構成となっている。
【００２９】
操作パネル８及び簡易操作パネル４８は、機体の後向きに設けられているので、作業者は、機体の後方から何れのパネル上の操作が行え、機体の側方に移動する必要が無い。従って、機体と植物との間の狭い空間に作業者が身をのり入れる必要が無く、操作性が向上する。
【００３０】
測定作業の開始にあたり、作業者は、移動ハンドル５を操作して移動用前輪１１及び移動用後輪１２で機体を走行させ、栽培条間の端部（送水パイプ（走行レール）１３の端部）へ機体を移動させ、左右の送水パイプ（走行レール）１３上に左右の作業用前輪１１及び左右の作業用後輪１２を載せる。測定において外光等の影響を受けないようにするべく、測定作業は夜間に行う必要があるので、機体の送水パイプ１３上への移動は、夕方に行うことが望ましい。そして、作業者が、主電源スイッチ４４を入操作し、撮影入切スイッチ４６を入操作にして撮影装置２７を撮影する状態にし、昇降操作スイッチ４０を操作して昇降用電動モータ３８を駆動させて情報測定装置３を所望の測定高さに昇降させる。その後、制御装置４により、走行モード切替スイッチ４５を自動走行位置に設定していれば、主電源スイッチ４４を入操作してから夜間となる作業開始用の所定時間後（例えば６時間後）に、走行用電動モータ１５が駆動を開始して前進走行を開始すると共に、撮影装置２７が撮影を開始する。この前進走行開始から走行用の所定時間後（例えば５０秒後）に、走行用電動モータ１５の駆動を停止して走行停止する。走行停止してから発光用の所定時間後（例えば１０秒後）に、発光体２６が発光設定時間の間（例えば６０秒間）発光し、発光体２６を消灯する。発光体２６を消灯してから走行開始用の所定時間後（例えば５秒後）に、走行用電動モータ１５が再度駆動を開始して前進走行を開始する。そして、前進走行開始から走行用の所定時間後に、上述と同様に走行用電動モータ１５の駆動を停止して走行停止する。以降は、上述と同様の作動を繰り返すことにより、所定の走行距離ごとに測定する構成となっている。尚、発光体２６が発光している間の撮影装置２７の撮影画像に基づいて、植物のクロロフィル蛍光を測定する構成となっている。
【００３１】
これにより、所定の走行距離ごとに測定するので、栽培条における複数の箇所の植物について測定できる。また、走行停止してから発光用の所定時間後に、発光体２６が発光してクロロフィル蛍光を測定する構成であるので、走行停止時の機体の揺れが納まって機体が安定した状態で測定でき、測定精度の向上が図れる。更には、発光体２６を消灯してから走行開始用の所定時間後に、前進走行を開始する構成であるので、前進走行開始時の機体の揺れが測定に確実に影響しないようにでき、測定精度の向上が図れる。
【００３２】
尚、前記した作業開始用の所定時間、走行用の所定時間、発光用の所定時間、発光設定時間及び走行開始用の所定時間は、適宜調節できる構成とすればよい。特に、栽培条（送水パイプ１３）の長さに応じて、走行用の所定時間すなわち１回あたりの走行距離を調節すれば、所望の測定数で測定することができる。尚、走行用の所定時間は、所望の走行距離を走行するべく、走行速度調節装置による走行用電動モータ１５の駆動速度の変更に基づいて補正される構成となっている。尚、作業開始用の所定時間は、様々な設定時刻を考慮して０時間〜１０時間の範囲で設定できる構成となっている。発光用の所定時間及び走行開始用の所定時間は、消費電力の低減を考慮すれば、無闇に長い時間に設定しない方が好ましい。
【００３３】
そして、機体の前進で、前端センサ２４により送水パイプ１３の前端部に機体が到達したことを検知すると、前進走行を停止する。この前進走行停止から後進開始用の所定時間後（例えば６秒後）に、走行用電動モータ１５を逆方向に駆動して機体を後進させる。機体の後進で、後端センサ２５により送水パイプ１３の後端部に機体が到達したことを検知すると、後進走行を停止する。以上により、一連の測定作業が終了する。また、後進走行停止時に併せて、情報測定装置３を下限まで自動的に下降させる構成としている。これにより、測定作業後に機体を移動させる際、情報測定装置３が照明、送風ファン及び出入口等の温室内の構造物に干渉することを防止できる。尚、上述の情報測定装置３の自動的な下降は、前進走行停止時や後進走行中に行ってもよい。尚、消費電力の低減のため、後進走行停止時に併せて、主電源を切状態に制御する構成としてもよい。
【００３４】
尚、後進を開始してから後進用の所定時間（例えば１０〜１５分）を経過しても後端センサ２５が検知しないとき、作業用前輪１１又は作業用後輪１２の脱輪等、何らかの異常が発生していると判断し、後進走行を停止させる構成としている。これにより、安全性が向上すると共に、無駄な電力消費を防止することができる。
【００３５】
また、走行モード切替スイッチ４５を手動走行位置に設定していれば、作業者が前後進スイッチ４９を操作して機体を適宜前後進させ、走行停止位置で情報測定装置３が測定することになる。また、測定せずに単に送水パイプ１３上で機体を走行させる場合は、走行モード切替スイッチ４５を手動走行位置にし、前後進スイッチ４９を操作して走行させる。
【００３６】
また、主電源スイッチ４４が入状態で、バッテリーチェッカ４７によりバッテリー６の残量が所定以下（例えば１０Ｖ以下）であることを表示しているとき（このときは、バッテリーチェッカ４７の全ての表示ランプが点滅する。）、制御装置４により、走行モード切替スイッチ４５を自動走行位置に設定していても、前述の自動走行を行わず、発光体２６による発光及び撮影装置２７による撮影も行わず、測定作業を規制する構成となっている。この状態で、走行モード切替スイッチ４５を手動走行位置に設定すれば、前後進スイッチ４９の操作により、機体を移動するための前進及び後進が行える。尚、自動走行による測定作業中に、バッテリーチェッカ４７によりバッテリー６の残量が所定以下（例えば１０Ｖ以下）であることを表示した場合は、機体の走行をその場で停止させ、発光体２６による発光及び撮影装置２７による撮影も行わず、測定作業を規制する。これにより、バッテリー６の残量が少ない状態で自動走行による測定作業を実施することにより、栽培条全域に対して測定作業が行えなかったり、測定データが不適正になったりする不具合を防止する。
【００３７】
尚、走行モード切替スイッチ４５を手動走行位置に操作した状態で、撮影装置２７による撮影を継続し、前後進スイッチ４９を放して機体の走行を停止すると自動的に発光体２６による発光が行われて植物のクロロフィル蛍光を測定する構成としてもよい。この構成によれば、作業者が任意の位置で走行停止させて植物を測定することができる。
【００３８】
また、前端センサ２４が故障したとき、バッテリーチェッカ４７の表示ランプのうちの任意（右から３番目）の表示ランプが点滅すると共に、上述と同様に、自動走行を行わず又は中止し、発光体２６による発光及び撮影装置２７による撮影も行わず、測定作業を規制する構成となっている。尚、自動走行の途中で走行を中止した場合は、自動的に後進し、後端センサ２５の検知に基づいて元の位置で停止する。これにより、前端センサ２４が故障状態で自動走行による測定作業を実施することにより、機体が送水パイプ１３の端部で走行停止せずに機体や温室が破損することを防止する。
【００３９】
また、後端センサ２５が故障したとき、バッテリーチェッカ４７の表示ランプのうちの任意（右から４番目）の表示ランプが点滅すると共に、上述と同様に、自動走行を行わず又は中止し、発光体２６による発光及び撮影装置２７による撮影も行わず、測定作業を規制する構成となっている。これにより、後端センサ２５が故障状態で自動走行による測定作業を実施することにより、機体が送水パイプ１３の端部で走行停止せずに機体や温室が破損することを防止する。
【００４０】
また、走行モード切替スイッチ４５を自動走行位置に設定し、主電源スイッチ４４を入操作してから夜間となる作業開始用の所定時間後（例えば６時間後）に、走行用電動モータ１５が駆動を開始して前進走行を開始し、この前進走行を開始してから後進して元の位置に復帰するまで（測定作業が完了するまで）に必要な時間（例えば、２時間）以上経過したにも拘らず、後進で機体が元の位置に復帰したことを後端センサ２５が検知しないとき、機体の走行制御に不具合が発生していると判断し、バッテリーチェッカ４７の複数の表示ランプを一方側（右側）から順に点灯して消灯して告知する。尚、この状態でも、前後進スイッチ４９の操作により、機体を移動するための前進及び後進が行える。尚、前記状態で、走行モード切替スイッチ４５を手動走行位置に操作すれば、前後進スイッチ４９の操作により、機体を移動するための前進及び後進が行える。
【００４１】
また、昇降用電動モータ３８の駆動による情報測定装置３の昇降において、該情報測定装置３が昇降の上限に到達したことを検出する情報測定装置上限センサと、該情報測定装置３が昇降の下限に到達したことを検出する情報測定装置下限センサとを設け、制御装置４は、情報測定装置上限センサ又は情報測定装置下限センサの検知に基づいて昇降用電動モータ３８の駆動を停止する構成となっている。しかしながら、昇降操作スイッチ４０を情報測定装置３の昇降範囲全域にわたって昇降させるのに必要な時間（例えば、１分）以上上昇操作位置に操作し続けたにも拘らず、情報測定装置上限センサが検知しないとき、情報測定装置上限センサが故障していると判断し、バッテリーチェッカ４７の任意（右から１番目）の表示ランプを点滅させて告知する。同様に、昇降操作スイッチ４０を前記必要な時間以上下降操作位置に操作し続けたにも拘らず、情報測定装置下限センサが検知しないとき、情報測定装置下限センサが故障していると判断し、バッテリーチェッカ４７の任意（右から２番目）の表示ランプを点滅させて告知する。
【００４２】
以上説明したように、バッテリーチェッカ４７の表示ランプを各種の情報告知用の表示ランプとして兼用することにより、表示ランプの低減が図れ、コストダウンになる。
【００４３】
以上により、植物生育測定機は、走行装置（２）と、植物の生育情報を測定する情報測定装置（３）と、操作パネル（８）とを備え、情報測定装置（３）は、植物に向けて発光する発光体（２６）と、植物を撮影する撮影装置（２７）とを備え、操作パネル（８）は、自動走行と手動走行とを切り替える走行モード切替スイッチ（４５）及び撮影装置（２７）の作動を入切する撮影入切スイッチ（４６）を備え、走行モード切替スイッチ（４５）及び撮影入切スイッチ（４６）の一側に主電源スイッチ（４４）を備え、走行モード切替スイッチ（４５）及び撮影入切スイッチ（４６）の他側に、情報測定装置（３）を昇降させる昇降操作具（４０）を備えている。
【００４４】
よって、走行モード切替スイッチ（４５）及び撮影入切スイッチ（４６）の一側に主電源スイッチ（４４）を配置したので、主電源スイッチ（４４）を操作し易い。走行モード切替スイッチ（４５）、撮影入切スイッチ（４６）及び昇降操作具（４０）のうち、最も使用頻度の高い昇降操作具（４０）を、走行モード切替スイッチ（４５）及び撮影入切スイッチ（４６）の他側に配置したので、操作性が向上する。そして、昇降操作具（４０）の操作により、植物の高さに合わせて情報測定装置（３）を昇降させて植物の生育情報を適正に得ることができる。
【００４５】
尚、前述では機体の後進時には植物の測定を行わない形態について説明したが、後進時にも発光体２６を発光させながら撮影装置２７により撮影して測定してもよい。このとき、植物のクロロフィル蛍光を高精度で測定するには、前進時と同様に走行停止させて測定することが望ましい。後進時には、撮影装置２７の撮影で得られる植物の大きさに基づいて植物の生育度合いを生育情報として測定したいときは、連続的に後進で走行しながら栽培条全体を測定すればよい。
【００４６】
尚、発光体２６の発光強度を調節する調節具（調節ダイヤル等）を設けてもよい。これにより、周囲の環境により異なる明暗の違いで適正に測定されないような不具合を防止でき、撮影装置２７が所望の明るさで撮影でき、測定精度が向上する。
【００４７】
尚、発光体２６の発光強度を検出する照度センサを情報測定装置３の上部に設け、制御装置４により、照度センサの検出に基づいて所望の照度となるよう発光体２６の発光強度を制御する構成としてもよい。また、照度センサが所望の照度でないことを検出したとき、自動走行を中止して測定作業を中止し、不適正な測定データが得られることを防止する構成としてもよい。このとき、自動走行における走行開始直前に発光体２６を試験的に発光させ、照度センサにより照度を検出して測定作業を中止するか否かを決定する制御を行えばよい。尚、操作パネルに、照度センサで検出した照度を表示する照度表示ランプ等の表示具を設けてもよい。
【００４８】
また、前述では走行用の所定時間の設定により所定の走行距離ごとに測定する構成について説明したが、前記走行用の所定時間に代えて、１回当たりの走行距離すなわち所定走行距離を設定する構成としてもよい。このときは、作業用前輪１１又は作業用後輪１２の回転数を検出する車輪回転センサを設け、制御装置４により、車輪回転センサの検出に基づく走行距離が前記所定走行距離に達するごとに走行を停止させる構成となる。また、前記所定走行距離を設定する構成に代えて、栽培条（送水パイプ１３）の全長と測定回数とを設定する構成とし、制御装置４により、前記全長と前記測定回数とから所定走行距離を演算し、演算された該所定走行距離に基づいて走行制御する構成としてもよい。このとき、所定走行距離を演算する演算式は、所定走行距離をＡ、全長をＢ、測定回数をＣとすると、Ａ＝Ｂ／（Ｃ＋１）となる。加えて、栽培条での最初の測定及び最後の測定における栽培条端からの距離（送水パイプ１３端からの距離。以下、端部走行距離という。）を設定可能な構成としてもよい。具体的に説明すると、先ず、栽培条端（送水パイプ１３端）からの機体の走行距離が前記端部走行距離に到達すると走行停止して測定し、以降は所定走行距離を走行する度に走行停止して測定していく。このとき、所定走行距離を演算する演算式は、所定走行距離をＡ、全長をＢ、測定回数をＣ、端部走行距離をＤとすると、Ａ＝（Ｂ−２Ｄ）／（Ｃ−１）となる。尚、端部走行距離を０に設定すると、栽培条の両端で測定することになる。
【００４９】
また、従動輪である作業用後輪１２の回転数を検出する車輪回転センサを設けた場合、制御装置４から走行用電動モータ１５へ走行指令の信号が出力されているにも拘らず、車輪回転センサが作業用後輪１２の回転を検出しないときは、送水パイプ１３の繋ぎ目の溶接部分等を作業用前輪１１又は作業用後輪１２が乗り越えることができずに駆動輪である作業用前輪１１が空転していると判断し、前後進のうち所望の走行方向とは逆方向（例えば、前進走行中であれば後進）に所定時間又は所定距離だけ走行し、再度所望の走行方向へ走行する構成とすればよい。これにより、送水パイプ１３の繋ぎ目の溶接部分等を乗り越えるようにする。この逆方向走行後の再度の走行を所定回数（例えば、３回）繰り返しても、車輪回転センサの検出に基づいて駆動輪である作業用前輪１１が空転していると判断されるときは、走行が不可能であると判断し、走行を停止する。これにより、再度の走行を繰り返すことによりかえって作業用前輪１１又は作業用後輪１２が送水パイプ１３上から脱輪する等の危険の発生を防止でき、安全性が向上する。尚、この再度の走行の制御は、所望の走行方向が前進側でも後進側でも実行されるようにすればよい。
【００５０】
尚、情報測定装置３に、梯子５１を設けてもよい。この梯子５１は、折りたたみ収納式であり、情報測定装置３が偏位する一側方がわに展開されて端部が地面に接地する構成とすればよい。作業者は、梯子５１に上って発光体２６や撮影装置２７のメンテナンスを行うことができる。これにより、高位となる情報測定装置３のメンテナンスを容易に行える。尚、折りたたみ収納された梯子５１が情報測定装置３の左右幅内又は該情報測定装置３の内部に収まる構成とすれば、測定作業時に梯子５１で植物を傷付けることを防止できる。
【００５１】
尚、前述ではバッテリーチェッカ４７の表示ランプによりバッテリー６の残量を知らせる構成について説明したが、主電源スイッチ４４のランプを点滅させることによりバッテリー６の残量が少なくなっていることを知らせる構成としてもよい。
【００５２】
尚、前端センサ２４とは別に、機体の前方に障害物があることを検出する前方センサを設けてもよい。これにより、送水パイプ１３に沿う走行経路上に障害物があるとき、前方センサの検知に基づいて機体の前進を停止させることができる。また、前端センサ２４が故障していても前方センサが温室の側壁等の障害物を検知することで、機体の前進を停止させることができる。また、作業用前輪１１又は作業用後輪１２が送水パイプ１３から脱輪したときに、前方センサが前方の温室の側壁や栽培ベッド等の障害物を検知することで、機体の前進を停止させることができる。また、前端センサ２４が送水パイプ１３の端部に到達したことを検知し且つ前方センサが障害物（温室の側壁等）を検知したときにのみ、後進する構成とすれば、作業用前輪１１又は作業用後輪１２が送水パイプ１３から脱輪したままで後進させることを防止でき、安全性が向上する。
【００５３】
尚、前述では昇降用電動モータ３８の駆動により昇降用螺子軸を回転させて情報測定装置３を昇降させる構成について説明したが、昇降用螺子軸の下端に設けた昇降用ハンドルを回転させて昇降用螺子軸を回転させ、情報測定装置３を手動で昇降させる構成としてもよい。
【００５４】
また、走行装置２に対して情報測定装置３を左右方向に移動調節可能な構成としてもよい。これにより、発光体２６から植物が受光する受光強度や撮影装置２７が撮影する所望の撮影範囲に応じて、情報測定装置３と測定する植物との距離を変更調節でき、測定精度の向上が図れる。また、情報測定装置３の基部フレームに、前後方向に延びる左右調節用螺子軸と左右スライドガイドとを設け、左右調節用螺子軸及び左右スライドガイドを介して撮影装置２７を装着してもよい。これにより、左右調節用螺子軸の回動により、左右スライドガイドに案内されながら、発光体２６の左右位置を変えずに撮影装置２７の左右位置を調節することができ、撮影装置２７が撮影する撮影範囲を調節することができる。尚、左右調節用螺子軸の回動は、電動モータにより行っても手動により行ってもよい。
【００５５】
尚、情報測定装置３の下部に、下方へ向けて照射する作業灯を設けてもよい。これにより、夜間の手動作業に対応できると共に、メンテナンス性も向上する。
【００５６】
また、他の測定器具等も使用できるように、該他の測定器具等の電源端子を接続する電源端子装着口（電源コンセント）を機体に設けてもよい。電源端子装着口（電源コンセント）は、各種の器具へ電源を供給することを考慮して、交流１００Ｖ用、直流２４Ｖ用及び直流１２Ｖ用等、各種備えておくことが望ましい。
【図１】
0006485062.tif 000002
【図２】
0006485062.tif 000003
【図３】
0006485062.tif 000004
【図４】
0006485062.tif 000005
【図５】
0006485062.tif 000006
【図６】
0006485062.tif 000007
【図７】
0006485062.tif 000008
【図８】
0006485062.tif 000009